(57)【要約】【課題】従来、乱数表示機能を備えたものとしてサイコロがあり、商店街等の抽選会で使用される抽選器は、使用する玉に数字等の記号を付せば、乱数表示器となる。しかし、サイコロや抽選器の場合は、１つの数値を得る度に操作を繰返さねばならず煩雑な上に、複数の記号からなる乱数字を１回の操作で得ることができなかった。本発明は、回転反転を繰返すだけで次々と乱数を表示できる乱数表示器を提供することを目的としている。【解決手段】本発明の乱数表示器は、複数の小片（玉）１０と、該複数の小片１０が出し入れ自在に形成され、複数の小片（玉）１０のうちの一部の小片（玉）１０を区画する小片保持部３７を有するケーシング３３と、該小片保持部材としての区画部３７内に収納された小片（玉）１０を目視可能な小片確認部としての長孔３８と、を備えていることを特徴とする。【選択図】　図１
2004005342.tif 000002
【特許請求の範囲】
【請求項１】
複数の小片と、
該複数の小片が出し入れ自在に形成され、複数の小片のうちの一部の小片を区画する小片保持部を有するケ−シングと、
該小片保持部内に収納された小片を目視可能な小片確認部と、
を備えていることを特徴とする乱数表示器。
【請求項２】
前記ケーシングをケーシングの軸心を中心に回転させるため軸心或は軸心近傍に軸が設けられていることを特徴とする請求項１記載の乱数表示器。
【請求項３】
前記ケーシングが回転自在に取付けられたベースを備えていることを特徴とする請求項１記載の乱数表示器。
【請求項４】
前記ベース上に突起或は回転自在な突起が設けられ、この突起にケーシングが取付けられ或は回転自在に取付けられていることを特徴とする請求項１又は３記載の乱数表示器。
【請求項５】
前記複数の小片が、表面に記号が付された複数の小片であり、
前記ケーシングが、複数の小片のうちの所定数の小片を一列に保持する小片保持部を内部に有するケーシングであり、
前記小片確認部が、小片保持部内に保持された小片のうちの所望の数の小片に付された記号を目視可能な小片確認部であり、
該ケーシングの回転により、ケーシング内に保持された小片の内の一部の小片が前記小片保持部内に保持され、ケーシングの反転により小片保持部内に保持された小片が放出され、ケーシングの再度の回転によりケーシング内の一部の小片が再度小片保持部内に保持されることを特徴とする請求項１乃至４のうち１項記載の乱数表示器。
【請求項６】
前記複数の小片が、夫々の小片の表面の複数の位置に記号としての同一数字が付され、該数字が全小片を通じて０を含む連続した正の整数であり、複数のグループに分けられ、該小片の表面の一部或は全体がグループ毎に異なる色に色分けされ、且つ、グループ内においても連続した数字が付された小片であることを特徴とする請求項１乃至５のうち１項記載の乱数表示器。
【発明の詳細な説明】
【０００１】
【発明の属する技術分野】
本発明は、乱数表示器に関するものである。
【０００２】
【従来の技術】
従来、乱数表示方法として六面体で形成されたサイコロや回転盤が用いられていた。又、商店会等の抽選会に使われる抽選器が知られていた。この抽選器は、軸心を中心に回転自在なケーシング内に記号を付したり色分けした玉を収納し、ケーシングに取付けたハンドルを回転させケーシングが停止する度に前記の玉が１個づつ放出される小孔が設けてあった。
【０００３】
【発明が解決しようとする課題】
前者のサイコロの場合は、表面に６種類の記号しか表示できず、１回ごとにサイコロを振る必要があり非能率的であった。後者の抽選器は、任意の数の玉を挿入できる上に、挿入する玉を任意の組合せに選択できるため、乱数的に記号を選択したり、籤引きにより当選者を決める場合に都合が良かった。しかしながら、記号を１個選択する度にケーシングを回転しなければならず、大変煩わしい器具であった。何れの場合も１回の操作で複数の記号を表示できないという不便さがあった。
【０００４】
本発明の乱数表示器は、任意の記号（主に数字）を付し、或は、任意の色彩を付し、若しくは、記号と色彩を付した任意の複数の小片（主に玉）の中から所望の複数の小片を取出してケーシング内に収納し、ケーシングを一回操作する度にケーシング内に収納された小片の内の所望の複数の小片の記号或は色彩を乱数的に表示できる乱数表示器を提供することを目的としている。
【０００５】
【課題を解決するための手段】
本発明の乱数表示器は、複数の小片（玉）と、該複数の小片が出し入れ自在に形成され、複数の小片のうちの一部の小片を区画する小片保持部を有するケーシングと、該小片保持部内に収納された小片を目視可能な小片確認部と、を備えたことを特徴とする。
【０００６】
このケーシングの軸心或は軸心近傍に軸を設けたり、ケーシングをベースに回転自在に取り付ける、即ち、ベース上に設けられた突起或は回転自在な突起にケーシングを取付け或は回転自在に取付けることができる。
【０００７】
前記複数の小片が、表面に記号が付された小片であり、前記ケーシングが、複数の小片のうちの所定数の小片を一列に保持する小片保持部を内部に有するケーシングであり、前記小片確認部が、小片保持部内に保持された小片のうちの所望の数の小片に付された記号を目視可能な小片確認部であり、該ケーシングの回転により、ケーシング内に保持された小片のうちの一部の小片を前記小片保持部内に保持させ、ケーシングの反転により小片保持部材内に保持された小片が放出させ、ケーシングの再度の回転によりケーシング内の一部の小片を再度小片保持部材内に保持させることができる。
【０００８】
前記複数の小片が、夫々の小片の表面の複数の位置に記号としての同一数字が付され、該数字が全小片を通じて０を含む連続した正の整数であり、複数のグループに分けられ、該小片の表面の一部或は全体がグループ毎に異なる色に色分けされ、且つ、グループ内においても連続した数字を付された小片とすることもできる。
【０００９】
【発明の実施の形態】
図１乃至図５に示す本願の乱数表示器は、ケーシングが垂直方向に回転する実施例である。ベース１を設け、このベース１上に突起としての略並立された脚２を設ける。この脚２の上端部に回転自在なケ−シング３を取付ける。前記ケーシング３の中央は、柱状で内部が空洞の筒状部材４であり、この筒状部材４の両側（一側でも良い）には、錐形の台形（円錐形或は多角錐形）状側部部材５が対向して設けられている。側部部材５は、筒状部材４の両側に設けたものを図示し説明しているが、この筒状部材４と側部部材５を有するケーシング３は、一体で形成しても良いし、各部材５，４，５をバラバラに形成して組立式としたり、一方の側部部材５のみを着脱自在に組合せたりできる。
【００１０】
図１に示すように、一体で形成したケーシング３には、小片（玉）１０を出し入れする孔６が設けられており、この孔６はケーシング３の内外を連通する孔６である（図では、筒状部材４に設けているが、側部部材５に設けても良く、孔６の位置や形状は、問わない）。この孔６には、開閉自在な蓋体７が取り付けられ、ケーシング３を回転したとき内部に挿入された小片としての玉１０が飛出さないようになっている。
【００１１】
ケーシング３の側部部材５の中心を結ぶ位置即ち軸心（或は軸心近傍）には、水平方向の軸８が設けられている。軸８はケーシング３の円錐台形の側部部材５の両側に突出し、一端にはクランク状のハンドル９が取付けられている。この軸８は、両側の側部部材５，５の両端に突設した突起であっても良い。この軸（或は突起）８の両端は、前記ベース１上に略並立された突起の一形体としての脚２の上端部に回転自在に取付けられ、前記ハンドル９を回転することによりケーシング３を任意の方向に回転できるようになっている。
【００１２】
図３では、ケーシング３の縦断面を円形に表示しているが、多角形、楕円形、偏芯円等任意である。又、このケーシング３の全体形状を単に円筒形や多角形とすることもできる。更に、ケーシング３の軸心を水平方向に図示しているが、垂直方向に設けたり傾斜させて設けることもできる。
【００１３】
前記孔６から出し入れする複数の小片としての玉１０には、０を含む正の整数を表すアラビヤ数字１１が付されており、夫々の玉１０の表面には、同一の数字１１が複数箇所に記載されている。同一の数字１１が複数の玉１０に付されることがないようにされているのが原則であるが、使用目的により複数の玉１０に同一の数字１１を重複して付してもよい。又、数字に拘らることなく他の記号としてもよい。図５に示すように、複数の玉１０は、複数のグループＡ，Ｂ，Ｃ，Ｄに分けられ、グループ毎に異なる色に色分けされている。色分けされた玉１０Ａ〜１０Ｄは、全体を通して連続する数字１１が付されると共に、色分けされたグループ１０Ａ〜１０Ｄ内においても連続する数字１１が付されている。玉１０は、球形に限らず、六面体、八面体等多面体も含み、楕円球や偏芯球などでも良い
【００１４】
図３に示すように、ケーシング３の筒状部材４の内壁面には、複数の玉１０が１列に収納或は保持される小片保持部としての筒体１２が設けられている。筒体１２の一端には開口１２аがあり、ケーシング３の回転、停止、反転の繰り返しにより玉１０が開口１２аから筒体１２内に出し入れされるようになっている。筒体１２内に複数の玉１０が１列に収納されたとき、玉１０の表面に付された数字１１が読み取れるように、前記筒状部材４と筒体１２には、小片確認部としての長孔１３が設けられ、長孔１３はケーシング３の外部と筒体１２内を連通している。長孔１３の長さは、任意であるが、筒体１２内に挿入或は保持された複数の玉１０全部が見える長さが望ましい。図では、筒状部材４に玉１０の直径より狭い幅の長孔１３を設け、長孔１３の内面に横断面Ｃ型部材を取付けているが、筒体１２内の玉１０に付された数字１１をケーシング３の外部から目視可能であれば、筒体１２の形状や材質を問わない。即ち、小片確認部としての長孔１３は、ケーシング３の外部から筒体１２内の玉１０が、透視可能に形成してあれば形状や材質を問うものではない。
【００１５】
ケーシング３の表面の長孔１３の何れかの側部には、筒体１２内の小片確認手段として目盛１４が付されており、筒体１２内の玉数を容易に確認できるようになっている。目盛１４の代わりに長孔１３に添って摺動する摺動指示片を設けても良く、他の方法により筒体１２内の玉数のうちの任意の玉数を確認できれば良い（図示せず）。
【００１６】
図３に示すように、筒状部材４の内壁面或は筒体１２の外周であってケーシング３の内側の面の任意の位置に突起１５を設け、ケーシング３内に複数の玉１０を挿入した状態でハンドル９を回転することによりケーシング３を回転すると、ケーシング３内の複数の玉１０が撹拌されるようになっている。
【００１７】
上記構成の乱数表示器は、ベース１上に並立された突起としての脚２の上端部にケーシング３が回転自在に設けられ、このケーシング３に設けられた孔６から複数の玉１０をケーシング３内に挿入する。次ぎに、ケーシング３の軸８の一端側に取り付けられたクランク状のハンドル９を、筒体１２の一端の開口１２аと反対方向に回転させると、脚２の上端部に回転自在に取付けられたケーシング３内に挿入された複数の玉１０が撹拌される。続いて、ケーシング３内で複数の玉１０が撹拌された状態で、軸８の一端のハンドル９の回転を停止する。引き続いて、ハンドル８を逆転させると、ケーシング３の筒状部材４の内周に添って設けられた筒体１２の開口１２аから玉１０が順次筒体１２内に挿入されて１列に並ぶ。筒状部材４には外周に添って小片確認部としての長孔１３が設けられ、長孔１３は筒状部材４外部と筒体１２内に連通して形成されているから、筒体１２内に挿入された玉１０の表面を目視確認できる。
【００１８】
従って、玉１０の表面の複数の位置に付された何れかの記号としての数字１１をケーシング３外から読取れる。玉１０の表面の数字１１が読みづらいときは、指先などで玉１０を少し回転すると、玉１０の表面の複数ケ所には、同一数字１１が付されているので、容易に読取ることができる。小片確認部としての長孔１３には、黙視確認手段としての目盛１４が付されているので、付された目盛１４に従って所望数の玉１０の表面に付された数字１１を容易に読取れる。目盛１４の代わりに摺動指示片（図示せず）を取付けたときは、摺動指示片の位置を摺動させて読取る玉１０や玉数を決めれば良い。こうして読取った数字１１は、ケーシング３内で撹拌された玉１０に付された数字１１であり、作為的に読取ったものではなく、乱数として読取った数字１１である。又、読取る数字１１は、必要に応じ１個の数字１１であっても良いし、複数の連続した数字１１であっても良い。
【００１９】
次ぎに、再度筒体１２の一端の開口１２аと反対の方向にケーシング３を回転させ筒体１２内の玉１０をケーシング３内に放出する。更にケーシング３を回転させて内部の複数の玉１０を撹拌する。撹拌された複数の玉１０が内部にあるケーシング３を再度反転すると、前述のように所定数の玉１０が筒体１２内に挿入され、新しい乱数を読取ることができる。これを反復繰り返せば、簡単に無作為の乱数表を作成できる。以上のように１回の操作で、複数の数字１１からなる乱数を得ることができ、更に、この乱数を１つの数からなる乱数としたり、２つ以上の任意の数からなる乱数とすることのできる乱数表示器が得られた。
【００２０】
図５に示すように、例えば４４個の玉に、０から４３の連続した数字１１を付し、０の数字１１を付した玉１０を白玉１０Ａ、１から９の数字１１の玉１０を赤玉１０Ｂ、１０から３１の数字１１の玉１０を青玉１０Ｃ、３２から４３の数字１１の玉１０を黄玉１０Ｄとしてグループ別に色分けする。この様にグループ別に色分けした場合、例えば０から９までの１０個の玉１０を使いたいときは、白玉１０Ａと赤玉１０Ｂのみを取出し、１から３１までの３１個の玉１０を使いたいときは、赤玉１０Ｂと青玉１０Ｃを取出すか、白玉１０Ａと黄玉１０Ｄを取り除けば良く、玉１０の選択が大変簡単で便利である。
【００２１】
図５により乱数表示器の具体的使用例を宝くじのナンバーズで説明する。総数４４個の玉１０の表面の複数の位置に夫々の玉１０固有の記号としての０から４３のアラビヤ数字１１を連続して付す。この時同一の数字１１が重複して付されることがない（図４では、アラビヤ数字の２を表示している）。この４４個の玉１０をＡＢＣＤの４グループに分け、Ａグループ（０）は白玉１０Ａ、Ｂグループ（１乃至９）は赤玉１０Ｂ、Ｃグループ（１０乃至３１）は青玉１０Ｃ、Ｄグループ（３２乃至４３）は黄玉１０Ｄにするなど４つのグループに４色に色分けをする。
【００２２】
ここで、ナンバーズ３について説明する。ナンバーズ３は、０から９の数字から任意の３個の数字を選択して投票する宝籤である。数字０が付された１個の白玉１０Ａと、１から９の数字１１が付された９個の赤玉１０Ｂの合計１０個の玉１０を総数４４個の玉１０から選別する。この選別方法は、玉１０に付された数字１１を見て選別するのではなく、４４個の玉１０から単に白玉１０Ａと赤玉１０Ｂを拾い出せば、０から９までの数字１１が付された１０個の玉１０を選別できる。赤白１０Ｂ，１０Ａの１０個の玉１０を筒状部材４の孔６から蓋体７を開けてケーシング３内に挿入して蓋体７をする。次いで、ケーシング３内の筒体１２の開口１２аから開口１２аのない方向に向ってケーシング３が回転するようにハンドル９を操作してケーシング３を回転させ、ケーシング３内の１０個の白玉１０Ａと赤玉１０Ｂを撹拌する。ケーシング３内には、撹拌用の突起１５が設けてあるので、ケーシング３の回転により速やかに撹拌される。赤白の玉１０Ａと１０Ｂが十分に撹拌された時点で回転を停止し、ハンドル９の操作によりケーシング３を反転させると、赤白の玉１０Ａと１０Ｂは無作為に筒体１２の開口１２аから順次筒体１２内に挿入されて１列に並ぶ。
【００２３】
ケーシング３の筒状部材４と筒体１２には、小片確認部として筒状部材４と筒体１２に連通する長孔１３が設けられており、筒体１２内に１列に並んだ赤白の玉１０Ａと１０Ｂの表面に付された数字１１が読み取れる。この小片確認部である長孔１３が透明な素材で形成されている場合でも読み取れる。又、筒状部材４の表面の長孔１３の何れかの側部には目視確認手段としての目盛１４が付され、先頭から３個目までの赤玉１０Ｂ或は白玉１０Ａの数字１１を容易に読み取ることができる。小片確認部が長孔１３の場合で、付された数字１１が読み難い角度のときは、長孔１３に指先や筆記具等の先を挿入して読み難い玉１０を回転すれば、容易に玉１０に付された数字１１を読み取ることができる。読み取った数字１１を記録する。再度ハンドル９の操作によりケーシング３を反転すると、筒体１２内に収納された赤白の玉１０Ａと１０Ｂが筒体１２の開口１２аから放出され、回転を続けることにより複数の赤白の玉１０Ａと１０Ｂが撹拌される。
【００２４】
以上の操作を繰返すことにより３つの数字１１で表された多数の乱数が表示されるから、この乱数を記録してナンバーズ３に投票する。紙と筆記具により任意の３数字を記録した場合、同一の３数字で重複投票したり、禁止されている同一数字の重複、例えば１１１や１１２で投票することがある。しかしながら、この乱数表示器による場合は、上記赤白の玉１０Ａと１０Ｂは、０から９までの数字が付された１個づつの玉１０しか用意されておらず、前者のように同一数字の重複する表示は起こり得ない。３回の投票予定のとき、５回、１０回分の乱数字を表示した後、表示した乱数字の内の任意の乱数字を選択して投票できる。
【００２５】
３つの数字のうち、２個は重なっても良い場合は、０から１９までの数字が付された玉１０を使用し、１の位の数字を用いることにすればよい。３個とも重なってもよい場合は、０〜２９までの３０個の玉１０を使用し、１の位の数字を付せばよい。
【００２６】
尚、ナンバーズ４の場合は、白玉１０Ａと赤玉１０Ｂの合計１０個の玉１０を使い、４個の乱数字を投票することになるが、乱数表示器の操作は前述の操作と同じである。このように表示する乱数字を３個、４個、５個、或は、６個等の任意の数からなる乱数字として表示或は選択できる。
【００２７】
ミニロトの場合は、合計３１個の玉１０を使い、５個の乱数字を投票する。この場合、９個の赤玉１０Ｂと２２個の青玉１０Ｃを使い、乱数表示器により５個の数からなる乱数字を表示する。又、ロト６の場合は、合計４３個の玉１０を使い、６個の乱数字を表示するもので、９個の赤玉１０Ｂと２２個の青玉１０Ｃと１２個の黄玉１０Ｄを使う。以上、現行のルールによるものであるが、ルールの変更が起きれば、記号を付した玉１０及び玉数、グループ分け及びクループ別色分けを変更すれば良い。
【００２８】
上記のようなグループ分けし複数の色に色分けされた複数の玉１０を有する乱数表示器は、玉１０の色により選択した所定数の玉１０を乱数表示器のケーシング３内に挿入し、ハンドル９の操作によりケーシング３を正反回転を繰返すだけで、同一数字１１の重複などルール違反となる乱数字が表示されることがなく、簡単に任意の複数の数１１からなる乱数字を１操作毎に得ることができる。
【００２９】
図６、図７の乱数表示器は、ケーシングが垂直方向に回転する第２の実施例である。前記ケーシング３の何れか一方の側部部材５を分割した着脱自在な側部部材２１を有するケーシング２２を設ける。分割した側部部材２１と筒状部材４を嵌合させたり、捻じ込ませ着脱自在に組立分解自在とする。この時のケーシング２２の軸２３も央部で分割して軸２３а、軸２３ｂとし、嵌合させ、或は軸２３の央部をなくし、側部部材５，２１の両端に突起としての軸を突出させることもできる。軸２３の両端は、ベース１上に並立された突起としての脚２の上端部に着脱自在に取付ける。脚２４の上端部には、Ｕ型の切り欠き２５（或は溝）が設けられ、軸２３の両端が回転自在に嵌め込まれている。この実施例の場合は、前記実施例で示したケーシング３の内外を連通する蓋体７付孔６を必要としない。
【００３０】
上記構成の乱数表示器は、ケーシング２２の軸２３を突起としての脚２４の上端部から取外し、着脱できる側部部材２１を筒状部材４から取外すと、前記複数の玉１０をケーシング２２内に出し入れすることが容易にできる。他の構成や使用方法は、前記実施例と同様である。
【００３１】
図８乃至図１２の乱数表示器は、ケーシングが水平方向に回転する実施例である。図８、図９に示すように、軸心上に突起としての円環状筒体３０を有するベース３１を設ける。円環状筒体３０に回転自在に嵌合する円環状の筒体３２を下部に有するケーシング３３を設ける。このケーシング３３は、有底の筒状部材３４と筒状部材３４の開口に着脱自在な蓋体３５を有している。ケーシング３３内の外周部は、一端が開口された隔壁３６により区画された小片保持部材としての区画部３７が設けてある。区画部３７内に１列に挿入された小片（玉）１０をケーシング３３外から目視できるように小片確認部としての長孔３８が設けてある。区画部３７は、前記実施例の小片保持部材としての筒体１２である。又、ケーシング３３の外周には、ケーシング３３を水平方向に回転させるためのハンドル３９が取付けてある。
【００３２】
上記構成の乱数表示器は、ベース３１上の円環状筒体３０とケーシング３３下の円環状筒体３２とが回転自在に嵌合させてあり、ケーシング３３には着脱自在な蓋体３５が設けてあり、且つ、ケーシング３３の外周にハンドル３９が設けてある。従って、蓋体３５を開けてケーシング３３内に小片を挿入し、蓋体３５を閉じてハンドル３９操作によりケーシング３３を水平方向に順逆回転停止を繰返すと、前述の実施例同様の乱数が得られる。
【００３３】
図１０、図１１に示すように、ベース３１上に回転自在に立設した突起としての軸４０の上端にハンドル４１を設け、この軸４０にケーシング３３を取付け（或は回転自在に取付け）、ケーシング３３の任意の位置に開閉自在な蓋体４２付小片挿入部４３を設けてもよい。又、図１２に示すように、ハンドル４４の取付け位置は、軸４０の上端に拘るものではなく、ケーシング３３を水平方向に回転できれば、ケーシング３３の上部や外周など任意の位置であってもよい。上記構成の乱数表示器であっても、前記実施例と同様の作用効果が得られる。
【００３４】
図１３、１４に示すように、ベース３１、ハンドル３９、４１、４４及び軸４０をなくすこともできる。即ち、前記実施例のハンドル３９，４１，４４をなくし、複数の小片（玉）１０とケーシング３３を備えた乱数表示器である。このような構成の乱数表示器は、内部に複数の小片１０を入れたケーシング３３を手に持って小片１０が撹拌されるようにケーシング３３を揺すったり、区画部３７内に小片１０が挿入され或は放出されるように回転すると、前述の実施例同様に種々の乱数が得られる。
【００３５】
更に、図１５、図１６に示すように、上記ケーシング３３の軸心（或は軸心近傍）に軸４５を設ける。この軸４５は、ケーシング３３に固定されていると共にケーシング３３の上下に突出している。又、軸４５の下端は、球面として形成することが望ましい。このような構成の乱数表示器は、軸４５を中心にコマのように回転或は反転することにより、前記実施例と同様種々の乱数が得られる。
【００３６】
尚、図では、ケーシング３３に軸４５が固定されているが、ケーシング３３と軸４５を回転自在に取付けることもできる（図示せず）。このように、ケーシング３３と軸４５を回転自在に取付けた時は、軸４５の半球形の下端を床やテーブル上に当て、軸４５の上端を手で押さえた状態で、軸４５を中心にケーシング３３を回転或は反転させることにより、前記実施例と同様の乱数が得られる。
【００３７】
【発明の効果】
本願発明に係る乱数表示器は、複数の小片と、複数の小片を出し入れ自在に形成され、一部の小片を区画する小片保持部を有するケーシングと、小片保持部内の小片を目視可能な小片確認部とを備えている。この複数の小片を収納したケーシングを手に持って揺すったり回転させると、複数の小片が撹拌され、一部の小片が小片保持部内に挿入される。小片保持部には小片確認部が設けてあるから、小片保持部内の小片を目で確認できる。この小片に記号としての数字を付しておけば、この数字を読取ることができ、簡単な操作の反復により次々と無作為の乱数が得られる。
【００３８】
複数の小片を１列に保持する小片保持部をケーシング内に設け、小片保持部内の複数の小片をケーシングの外部から黙視確認可能な小片確認部を設けたので、小片保持部内の複数の小片をケーシング外から見れるようになった。この複数の小片の表面に記号としての数字を付したときは、１回の操作で複数の数字（数字の数も任意）からなる乱数を表示できる。
【００３９】
ケーシングの軸心の上下に突出する軸を設けたり、ケーシングをベース上に回転自在に設けると、ケーシングの回転が容易になり、小片保持部への小片の出し入れが容易になる。この結果、ケーシングの回転、停止、反転の反復により異なる配列の乱数が容易に得られる。
【００４０】
複数の小片を複数のグループに分け、グループ毎に異なる色分けをし、複数の小片の全体を通して連続する数字を付したときは、使用する小片を色分けしたグループ単位で取捨選択すると、小片の色に従い簡単に使用する小片を簡単に選択できる。
【図面の簡単な説明】
【図１】本発明に係る乱数表示器を示す斜視図である。
【図２】図１の要部拡大図付Ａ―Ａ線断面図である。
【図３】図１のＢ―Ｂ線断面図である。
【図４】本発明に係る乱数表示器の１構成である小片としての玉の表面に記号としての数字（２）を複数の位置に付した斜視図である。
【図５】本発明に係る乱数表示器の１構成である小片に記号としての連続した数字を付し、グループ分けし、グループ毎に色分けした一覧説明図である。
【図６】本発明に係る乱数表示器の斜視図である。
【図７】図６のＣ―Ｃ線拡大分解断面図である。
【図８】本発明に係る水平方向に回転自在な乱数表示器の分解斜視図である。
【図９】図８のＤ―Ｄ線断面図である。
【図１０】本発明に係る乱数表示器の斜視図である。
【図１１】図１０のＥ―Ｅ線断面図である。
【図１２】本発明に係る乱数表示器の斜視図である。
【図１３】本発明に係る乱数表示器の分解斜視図である。
【図１４】図１３のＦ―Ｆ線断面図である。
【図１５】本発明に係る乱数表示器の分解斜視図である。
【図１６】図１５のＧ―Ｇ線断面図である。
【符号の説明】
１　　　　　ベース
２　　　　　突起としての脚
３　　　　　ケーシング
４　　　　　筒状部材
５　　　　　側部部材
１０　　　　　小片としての玉
１０Ａ　　　　色分けされたグループＡの玉
１０Ｂ　　　　色分けされたグループＢの玉
１０Ｃ　　　　色分けされたグループＣの玉
１０Ｄ　　　　色分けされたグループＤの玉
１１　　　　　玉に付された記号としての数字
１２　　　　　小片保持部材としての筒体
１３　　　　　小片確認部としての長孔
２１　　　　　側部部材
２２　　　　　ケーシング
２３　　　　　軸
２４　　　　　突起としての脚
３０　　　　　突起としての円環状筒体
３１　　　　　ベース
３２　　　　　円環状筒体
３３　　　　ケーシング（３４＋３５）
３４　　　　有底の筒状部材
３５　　　　蓋体
３６　　　　隔壁
３７　　　　小片保持部材としての区画部
３８　　　　小片確認部としての長孔
３９，４１，４４　　　　ハンドル
４０　　　　突起としての軸
４２　　　　蓋体
４３　　　　小片挿入部
４５　　　　軸
【図１】
2004005342.tif 000003
【図２】
2004005342.tif 000004
【図３】
2004005342.tif 000005
【図４】
2004005342.tif 000006
【図５】
2004005342.tif 000007
【図６】
2004005342.tif 000008
【図７】
2004005342.tif 000009
【図８】
2004005342.tif 000010
【図９】
2004005342.tif 000011
【図１０】
2004005342.tif 000012
【図１１】
2004005342.tif 000013
【図１２】
2004005342.tif 000014
【図１３】
2004005342.tif 000015
【図１４】
2004005342.tif 000016
【図１５】
2004005342.tif 000017
【図１６】
2004005342.tif 000018